(57)【特許請求の範囲】
【請求項１】
多数台の遊技機についての遊技データを各遊技機毎に集計した結果を遊技場の営業日毎に区分した日毎データとして出力するための遊技場用データ管理装置において、
開店処理が行われた時刻から閉店処理が行われた時刻までの期間における前記遊技機毎の遊技データを順次累積しながら記憶する日毎データファイルと、
前記遊技機毎の遊技データを順次累積しながら記憶する累積データファイルと、
この累積データファイルに記憶された遊技データを遊技場の営業継続時間より十分に短い一定時間周期で読み込むと共に、各回の読み込み遊技データをその読み込み時の時刻データと対応付けた状態で複数日に渡って順次記憶する履歴データファイルとを備えた上で、
前記日毎データを正確な状態に補正するために、前記開店処理が行われた時刻及び閉店処理が行われた時刻についてのデータの少なくとも一方が変更されたときに、変更後の開店処理時刻から閉店処理時刻までの期間における遊技機毎の遊技データを前記履歴データファイルに基づいて再計算すると共に、前記日毎データファイル中の累積データを上記のように再計算した遊技データに変更する演算手段を設けたことにより、営業日毎に区分した日毎データを正確に得ることを特徴とする遊技場用データ管理装置。
【請求項２】
前記開店処理が行われた時刻及び閉店処理が行われた時刻をそれぞれ開店時刻及び閉店時刻として記憶する開閉店履歴データファイルを備え、
前記演算手段は、前記開閉店履歴データファイルに記憶された開店時刻及び閉店時刻の少なくとも一方が変更されたときに、変更後の開店時刻から閉店時刻までの期間における遊技機毎の遊技データを前記履歴データファイルに基づいて再計算すると共に、前記日毎データファイル中の累積データを上記のように再計算した遊技データに変更することを特徴とする請求項１記載の遊技場用データ管理装置。
【発明の詳細な説明】
【０００１】
【発明の属する技術分野】
本発明は、多数台の遊技機についての遊技データを各遊技機毎に集計すると共に、その集計結果を遊技場の営業日毎に区分した状態の日毎データとして出力するための遊技場用データ管理装置に関する。
【０００２】
【従来の技術】
従来よりパチンコホールのような遊技場に設けられるデータ管理装置、つまり多数台の遊技機についての遊技データ（パチンコ遊技機の場合、アウト玉数、セーフ玉数、特賞回数など）を各遊技機毎に集計すると共に、その集計結果を必要に応じて管理用のデータとして出力するためのデータ管理装置にあっては、当日の営業が終了してから翌日の営業を開始するまでの間に、当日の遊技データを前日データとして記憶した後にクリアすることが行われており、これにより遊技場の営業日毎に区分した日毎データを得るようにしている。このようなクリアのための処理、つまり閉店処理は、従来より、予め設定した時刻（例えば営業開始直前の時刻）になる毎に自動的に行うか、若しくは閉店後の適宜なタイミングにおいて手動操作により行うシステムとなっている。
【０００３】
【発明が解決しようとする課題】
しかしながら、上記閉店処理を自動的に行うシステムとした場合には、以下に述べるような問題点が発生する。つまり、遊技場においては、所謂新台入れ替えなどのイベントを行うのに伴い営業時間帯が頻繁に変動するものであるが、このように営業時間帯が変動した場合には前記閉店処理時刻の設定も変更しておかないと、適正なタイミングでデータのクリアが行われなくなって、日毎データが不正確になってしまうことがある。一方、閉店処理を手動操作により行うシステムとした場合には、その閉店処理のための操作が忘れられる可能性があり、このように閉店処理が行われることなく遊技場の営業が開始されると、前日データに対し当日の遊技データが加算されてしまうため、遊技機毎の遊技データを営業日毎に区分した日毎データが不正確になる事態が発生する。
【０００４】
本発明は上記事情に鑑みてなされたものであり、その目的は、遊技機毎の遊技データを営業日毎に区分した日毎データを常時において正確に得ることが可能になる遊技場用データ管理装置を提供することにある。
【０００５】
【課題を解決するための手段】
請求項１記載の発明は、上記目的を達成するために、多数台の遊技機についての遊技データを各遊技機毎に集計した結果を遊技場の営業日毎に区分した日毎データとして出力するための遊技場用データ管理装置において、
開店処理が行われた時刻から閉店処理が行われた時刻までの期間における前記遊技機毎の遊技データを順次累積しながら記憶する日毎データファイルと、前記遊技機毎の遊技データを順次累積しながら記憶する累積データファイルと、この累積データファイルに記憶された遊技データを遊技場の営業継続時間より十分に短い一定時間周期で読み込むと共に、各回の読み込み遊技データをその読み込み時の時刻データと対応付けた状態で複数日に渡って順次記憶する履歴データファイルとを備えた上で、
前記日毎データを正確な状態に補正するために、前記開店処理が行われた時刻及び閉店処理が行われた時刻についてのデータの少なくとも一方が変更されたときに、変更後の開店処理時刻から閉店処理時刻までの期間における遊技機毎の遊技データを前記履歴データファイルに基づいて再計算すると共に、前記日毎データファイル中の累積データを上記のように再計算した遊技データに変更する演算手段を設けたことにより、営業日毎に区分した日毎データを正確に得る構成としたものである。
【０００６】
この構成によれば、遊技機において遊技が行われると、日毎データファイルには、開店処理が行われた時刻から閉店処理が行われた時刻までの期間における前記遊技機毎の遊技データが順次累積しながら記憶されるから、この日毎データファイルの記憶内容に基づいて、多数台の遊技機について個別に集計した遊技データを遊技場の営業日毎に区分した日毎データとして出力することができるようになる。さらに、遊技機において遊技が行われた場合には、累積データファイルに各遊技機毎の遊技データが順次累積しながら記憶されるようになり、また、履歴データファイルには、遊技場の営業継続時間より十分に短い一定時間が経過する毎に上記累積データファイルに記憶された遊技データが読み込まれると共に、各回の読み込み遊技データがその読み込み時の時刻データと対応付けた状態で複数日に渡って順次記憶されるようになる。
一方、例えば、開店処理及び閉店処理を設定時刻に自動的に行うシステムにおいて営業時間帯の変動に起因して当該開店処理或いは閉店処理が不適性なタイミング（例えば営業時間帯に含まれるタイミング）に行われた場合、若しくは開店処理及び閉店処理を適宜なタイミンクで手動操作により行うシステムにおいて当該開店処理或いは閉店処理のための操作が忘れられた場合には、上述した日毎データファイルのデータ蓄積期間が遊技場の実際の営業時間と食い違うようになって、前記日毎データが不正確になってしまう。このような事態が発生した場合には、開店処理が行われた時刻及び閉店処理が行われた時刻についてのデータを適正な時刻に変更するものであるが、このような変更が行われたときには、演算手段が、変更後の開店処理時刻から閉店処理時刻までの期間における遊技機毎の遊技データを前記履歴データファイルに基づいて再計算すると共に、前記日毎データファイル中の累積データを上記のように再計算した遊技データに変更するようになる。この結果、開店処理や閉店処理が適正なタイミングで行われなかった場合であっても、遊技機毎の遊技データを営業日毎に区分した日毎データを正確な状態に補正することが可能になる。
【０００７】
この場合、請求項２記載の発明のように、前記開店処理が行われた時刻及び閉店処理が行われた時刻をそれぞれ開店時刻及び閉店時刻として記憶する開閉店履歴データファイルを備えた上で、前記演算手段を、前記開閉店履歴データファイルに記憶された開店時刻及び閉店時刻の少なくとも一方が変更されたときに、変更後の開店時刻から閉店時刻までの期間における遊技機毎の遊技データを前記履歴データファイルに基づいて再計算すると共に、前記日毎データファイル中の累積データを上記のように再計算した遊技データに変更する構成としても良い。
【０００８】
この構成によれば、開閉店履歴データファイルに対して、実際に開店処理や閉店処理が行われた時刻がそれぞれ開店時刻及び閉店時刻として記憶されるから、その記憶内容に基づいて、開店処理や閉店処理が適正なタイミングで行われたか否かを後から容易に確かめることができる。また、その開閉店履歴データファイルに記憶された開店時刻及び閉店時刻の少なくとも一方を変更すれば、演算手段が、変更後の開店時刻から閉店時刻までの期間における遊技機毎の遊技データを前記履歴データファイルに基づいて再計算すると共に、前記日毎データファイル中の累積データを上記のように再計算した遊技データに変更するようになるから、その日毎データの補正のための操作をきわめて簡単に行い得ることになる。
【０００９】
【発明の実施の形態】
以下、本発明の一実施例について図面を参照しながら説明する。
図１にはパチンコホール用データ集計システムの全体構成が概略的に示されている。この図１において、遊技場用データ管理装置（以下、単に管理装置と呼ぶ）１には、多数台のパチンコ遊技機２（１台のみ図示）から出力されるアウト信号、セーフ信号、スタート信号及び特賞信号が与えられるようになっている。尚、上記アウト信号、セーフ信号、スタート信号は、それぞれアウト玉及びセーフ玉の各発生毎及び周知のスタート孔への入賞毎に出力されるパルス状の信号であるが、特賞信号はパチンコ遊技機２が特賞状態にある期間中立ち上がるレベル信号である。
【００１０】
上記管理装置１は、ＣＰＵ１ａ（本発明でいう演算手段に相当）、ＲＯＭ１ｂ、ＲＡＭ１ｃを基本構成要素として含んだコンピュータ装置により構成されており、この他にＲＴＣ（リアルタイムクロック）により実現されたカレンダー部１ｄ及び時計部１ｅ、及び少なくとも１週間分の管理用データを記憶可能な大容量のデータ記憶部１ｆを備えた構成となっている。管理装置１には周辺装置として、データ入力用のキーボード３、データ出力用のモニタ４及び半年分程度の管理用データを記憶可能な光磁気ディスク或いはハードディスクなどより成る外部記憶装置５が接続されている。尚、図示しないが、管理装置１には必要に応じてプリンタなども接続される。
【００１１】
図４ないし図７には、前記データ記憶部１ｆに記憶されるデータファイル群のフォーマットが示されており、以下、これについて説明する。尚、図４ないし図７中において、ＹＹは西暦年（下２桁）、ＭＭは月、ＤＤは日、ＨＨは時、ｍｍは分、χは十進数を示す。
【００１２】
図４に示す“累積データファイル”は、パチンコホール内の全てのパチンコ遊技機２についての稼働データを個別に記録するための複数のレコードより成るもので、各レコードは、パチンコ遊技機２の台番号をレコード番号とした状態の複数のデータフィールドを備えている。この場合、各データフィールドには、アウト玉数、セーフ玉数、スタート回数、特賞回数、特賞アウト玉数（特賞期間中のアウト玉数）、特賞セーフ玉数（特賞期間中のセーフ玉数）がそれぞれ記録される。
【００１３】
図５に示す“履歴データファイル”は、パチンコホール内の全てのパチンコ遊技機２についての一定時間（例えば１分）経過毎の稼働データを長期間（例えば１週間以上）に渡って順次記録するための複数のブロックより成るもので、ここでは１台のパチンコ遊技機２に対応した１ブロック分のフォーマットを示している。各ブロックは、パチンコ遊技機２の台番号をブロック番号としており、一定時間経過毎の日付及び時刻をレコード番号とした状態の複数のデータフィールドを備えている。この場合、各レコード中のデータフィールドには、アウト玉数、セーフ玉数、スタート回数、特賞回数、特賞アウト玉数、特賞セーフ玉数がそれぞれ記録される。
【００１４】
図６に示す“日毎データファイル”は、パチンコホール内の全てのパチンコ遊技機２についての１日分の稼働データを個別に記録するための複数のブロックより成るもので、ここでは１ブロック分（１日分）のフォーマットを示している。この場合、各ブロックは、当日の日付をブロック番号としており、当日の開店時刻及び閉店時刻データをそれぞれ２４時間表記で記録するための各データフィールドと、パチンコ遊技機２の台番号をレコード番号とした状態の複数のレコードとを備えている。そして、各レコード中のデータフィールドには、アウト玉数、セーフ玉数、スタート回数、特賞回数、特賞アウト玉数、特賞セーフ玉数がそれぞれ記録される。尚、当日の閉店時刻が午後１２時を過ぎたときには、閉店時刻用のデータフィールドには、（実際の閉店時刻＋２４）が表示される。つまり、閉店時刻（後述する“閉店操作”が行われた時刻）が、例えば午前１時３０分であった場合には、上記データフィールドに“２５時３０分”と記録される。
【００１５】
図７に示す“開閉店時刻履歴データファイル”は、パチンコホールの１営業日についての開店時刻及び閉店時刻を記憶するための複数のレコードより成るもので、後述する開店操作が行われる毎に当日の日付をレコード番号とした新規レコードが作成されるものであり、各レコードのデータフィールドには、開店時刻及び閉店時刻データが記録される。
【００１６】
さて、図２及び図３には、上記管理装置１による制御内容のうち本発明の要旨に関係した部分が示されており、以下、その制御内容について、前記図３ないし図６、並びにモニタ４による画面表示例を示す図８及び図９も参照しながら説明する。尚、図２及び図３では、説明の便宜上、１台のパチンコ遊技機２についてのデータを管理する例で示したが、実際には、複数台のパチンコ遊技機について、それぞれに付与された台番号毎に分類しながらデータ管理を行う構成となっている。
【００１７】
図２において、電源投入後には、まず、コンピュータ装置をＯＳ（Operating System）の管理下に入れると共にデータ管理に必要なソフトウエアを読み込むための起動処理ルーチンＳ１を実行し、この後に、開店操作（本発明でいう開店処理に相当）の有無を判断するステップＳ２、パチンコ遊技機２からの特賞信号が立ち上がりを判断するステップＳ３、パチンコ遊技機２からの稼働信号（アウト信号、セーフ信号、スタート信号）の入力の有無を判断するステップＳ４、例えば１分周期に設定された履歴データ更新タイミングに至ったか否かを判断するステップＳ５、閉店操作（本発明でいう閉店処理に相当）の有無を判断するステップＳ６、開閉店時刻変更操作の有無を判断するステップＳ７、終了操作の有無を判断するステップＳ８をサイクリックに実行する待機ループを形成する。
【００１８】
ここで、上記開店操作、閉店操作、開閉店時刻変更操作、終了操作は、何れもキーボード３を通じて行われるものであり、特に開閉店時刻変更操作は、以下のような手順で行われる、即ち、開閉店時刻変更操作を行う場合には、まず、モニタ４に対し図８に示すような“開閉店履歴”画面をキーボード３を通じた操作により表示させる。この“開閉店履歴”は、開店時刻及び閉店時刻（実際には開店操作及び閉店操作が行われた各時刻）を日付毎に記録したレコード群より成るデータであり、例えば当日を含む過去１週間分のレコードについて表示される。この状態から、開店時刻及び閉店時刻を修正する場合には、修正対象のレコードを選択した上で、当該表示画面中の「変更」アイコンの選択操作（若しくはキーボードのエンターキーの操作）を行う。すると、モニタ４に対し、図９に示すような“開閉店日時変更”画面が表示されるから、この画面を通じて開店時刻及び閉店時刻の修正を行った後に、当該表示画面中の「登録」アイコンの選択操作（若しくはキーボードのエンターキーの操作）を行うものであり、このような操作が開閉店時刻変更操作に相当する。
【００１９】
しかして、上述した待機ループの形成状態において、開店操作があった場合（ステップＳ２で「ＹＥＳ」）には、日毎データファイル（図６参照）中に、当日の日付をブロック番号とした新規ブロックを作成するステップＳ９、そのブロック中のデータフィールドに現在の時刻を開店時刻として記憶するステップＳ１０、開閉店時刻履歴データファイル（図７参照）中に、当日の日付をレコード番号とした新規レコードを作成するステップＳ１１、そのレコード中のデータフィールドに現在の時刻を開店時刻として記憶するステップＳ１２を順次実行した後に待機ループ（ステップＳ３）へ移行する。
【００２０】
パチンコ遊技機２からの特賞信号が立ち上がった場合（ステップＳ３で「ＹＥＳ」）には、累積データファイル（図４参照）中のデータのうち、該当パチンコ遊技機２の台番号に対応したレコード内の特賞回数を「１」だけインクリメントするステップＳ１３、日毎データファイル（図６参照）における当日のデータのうち、該当パチンコ遊技機２の台番号に対応したレコード内の特賞回数を「１」だけインクリメントするステップＳ１４を順次実行した後に待機ループ（ステップＳ４）へ移行する。
【００２１】
パチンコ遊技機２から稼働信号が入力された場合（ステップＳ４で「ＹＥＳ」）、つまりアウト信号、セーフ信号、スタート信号の何れかが入力された場合には、データファイル更新処理ルーチンＳ１５を実行する。この処理ルーチンの具体的内容は図３に示されている。
即ち、図３に示されたルーチンにおいては、まず、入力された稼働信号がスタート信号であるか否かを判断し（ステップＢ１）、スタート信号であった場合には、累積データファイル（図４参照）中のデータのうち、該当パチンコ遊技機２の台番号に対応したレコード内のスタート回数を「１」だけインクリメントするステップＢ２、日毎データファイル（図６参照）における当日のデータのうち、該当パチンコ遊技機２の台番号に対応したレコード内のスタート回数を「１」だけインクリメントするステップＢ３を順次実行した後にリターンする。
【００２２】
これに対して、入力された稼働信号がスタート信号以外であった場合には、その稼働信号がアウト信号及びセーフ信号の何れであるかを判断する（ステップＢ４）。
そして、アウト信号であった場合には、累積データファイル（図４参照）中のデータのうち、該当パチンコ遊技機２の台番号に対応したレコード内のアウト玉数を「１」だけインクリメントするステップＢ５、日毎データファイル（図６参照）における当日のデータのうち、該当パチンコ遊技機２の台番号に対応したレコード内のアウト玉数を「１」だけインクリメントするステップＢ６を順次実行した後に、特賞信号が入力中か否か（特賞信号が立ち上がった状態にあるか否か）を判断する（ステップＢ７）。ここで「ＮＯ」と判断した場合にはそのままリターンするが、「ＹＥＳ」と判断した場合には、累積データファイル（図４参照）中のデータのうち、該当パチンコ遊技機２の台番号に対応したレコード内の特賞アウト玉数を「１」だけインクリメントするステップＢ８、日毎データファイル（図６参照）における当日のデータのうち、該当パチンコ遊技機２の台番号に対応したレコード内の特賞アウト玉数を「１」だけインクリメントするステップＢ９を順次実行した後にリターンする。
【００２３】
一方、ステップＢ４において入力された稼働信号がセーフ信号であると判断した場合には、累積データファイル（図４参照）中のデータのうち、該当パチンコ遊技機２の台番号に対応したレコード内のセーフ玉数を「１」だけインクリメントするステップＢ１０、日毎データファイル（図６参照）における当日のデータのうち、該当パチンコ遊技機２の台番号に対応したレコード内のセーフ玉数を「１」だけインクリメントするステップＢ１１を順次実行した後に、特賞信号が入力中か否か（特賞信号が立ち上がった状態にあるか否か）を判断する（ステップＢ１２）。ここで「ＮＯ」と判断した場合にはそのままリターンするが、「ＹＥＳ」と判断した場合には、累積データファイル（図４参照）中のデータのうち、該当パチンコ遊技機２の台番号に対応したレコード内の特賞セーフ玉数を「１」だけインクリメントするステップＢ１３、日毎データファイル（図６参照）における当日のデータのうち、該当パチンコ遊技機２の台番号に対応したレコード内の特賞セーフ玉数を「１」だけインクリメントするステップＢ１４を順次実行した後にリターンする。
【００２４】
要するに、データファイル更新処理ルーチンＳ１５では、パチンコ遊技機２からの稼働信号（アウト信号、セーフ信号、スタート信号）に基づいて、累積データファイル及び日毎データファイル内のアウト玉数、セーフ玉数、スタート回数、特賞アウト玉数、特賞セーフ玉数の各データが最新のデータに更新されるものである。尚、累積データファイル及び日毎データファイル内の特賞回数データは、前記ステップＳ１３、Ｓ１４にて最新のデータに更新される。
【００２５】
図２に戻って、例えば１分周期に設定された履歴データ更新タイミングになった場合（ステップＳ５で「ＹＥＳ」）には、履歴データファイル更新処理ルーチンＳ１６を実行した後に、待機ループ（ステップＳ６）へ移行する。この処理ルーチンＳ１６では、履歴データファイル（図５参照）中における該当パチンコ遊技機２の台番号に対応したブロック中に、現在の日付及び時刻をレコード番号とした新規レコードを作成し、そのレコード中に当該パチンコ遊技機２についての最新の累積データ、つまり累積データファイル（図４参照）中に上記台番号と対応付けて記録されている累積データを記憶する。
【００２６】
また、閉店操作があった場合（ステップＳ６で「ＹＥＳ」）には、開閉店時刻履歴データファイル（図７参照）中における当日の日付に対応したレコード中のデータフィールドに現在の時刻を閉店時刻として記憶するステップＳ１７、日毎データファイル（図６参照）中における当日の日付に対応したブロック中のデータフィールドに現在の時刻を閉店時刻として記憶するステップＳ１８を順次実行した後に待機ループ（ステップＳ７）へ移行する。
【００２７】
開閉店時刻変更操作があった場合（ステップＳ７で「ＹＥＳ」）には、開閉店履歴データファイル（図７参照）中の開店時刻及び閉店時刻のうち、上記開閉店時刻変更操作により変更対象とされたデータを変更するステップＳ１９、日毎データファイル（図６参照）中の開店時刻及び閉店時刻のうち、上記開閉店時刻変更操作により変更対象とされたデータを変更するステップＳ２０を順次実行した後に記憶データ再計算ルーチンＳ２１へ移行する。
【００２８】
この記憶データ再計算ルーチンＳ２１では、履歴データファイル（図５参照）を利用して、変更後の開店時刻から変更後の閉店時刻までの期間の履歴データを１日分とした新たな日毎データを作成するものである。具体的には、上記履歴データファイルにおける変更後の閉店時刻に対応したレコード中の各データ（アウト玉数、セーフ玉数、スタート回数、特賞回数、特賞アウト玉数、特賞セーフ玉数）から、変更後の開店時刻に対応したレコード中の各データを減算し、その減算結果を１日分の日毎データとして再計算する。そして、記憶データ再計算ルーチンＳ２１の実行後には、日毎データファイル中における該当日の日毎データを、再計算した日毎データに更新記憶するステップＳ２２を実行し、この後に待機ループ（ステップＳ８）へ移行する。
【００２９】
終了操作が行われた場合（ステップＳ８で「ＹＥＳ」）には、データ記憶部１ｆ中に記憶されている累積データファイル、履歴データファイル、日毎データファイル、開閉店履歴データファイルを外部記憶装置５へ転送して記憶するなどの処理を行う終了処理ルーチンＳ２３を実行した後に、一連の処理を終了する。
【００３０】
以上要するに、上記した本実施例の構成によれば以下に述べるような作用・効果を奏することができる。
パチンコ遊技機２において遊技が行われると、日毎データファイル（図６参照）には、開店操作（閉店処理）が行われた時刻から閉店操作（開店処理）が行われた時刻が記憶されると共に、その開店操作時刻から閉店操作時刻までの期間におけるパチンコ遊技機２毎の遊技データが順次累積しながら記憶されるから、この日毎データファイルの記憶内容に基づいて、多数台のパチンコ遊技機２について個別に集計した遊技データをパチンコホールの営業日毎に区分した日毎データとして出力できる。さらに、パチンコ遊技機２において遊技が行われた場合には、累積データファイル（図４参照）に各パチンコ遊技機２毎の遊技データが順次累積しながら記憶されるようになり、また、履歴データファイル（図５参照）には、比較的短い時間（１分）が経過する毎に上記累積データファイルに記憶された遊技データが読み込まれると共に、各回の読み込み遊技データがその読み込み時の日付及び時刻をレコード番号とした状態のレコードとして長期間（１週間以上）に渡って順次記憶されるようになる。
【００３１】
一方、例えば、開店操作及び閉店操作を設定時刻に自動的に行うシステムを採用した状態において営業時間帯の変動に起因して当該開店操作或いは閉店操作が不適性なタイミング（例えば営業時間帯に含まれるタイミング）に行われた場合、若しくは開店操作及び閉店操作を適宜なタイミンクで手動操作により行うシステムを採用した状態において当該開店操作或いは閉店操作が忘れられた場合には、上述した日毎データファイルのデータ蓄積期間がパチンコホールの実際の営業時間と食い違うようになって、前記日毎データが不正確になってしまう。このような事態が発生した場合には、開閉店履歴データファイル（図７参照）に記憶されている開店時刻及び閉店時刻を確認し、その確認結果に基づいて開店時刻及び閉店時刻についてのデータを適正な時刻（実際の営業時間帯に対応した開店時刻及び閉店時刻）に変更するものであるが、このような変更が行われたときには、変更後の開店時刻から閉店時刻までの期間におけるパチンコ遊技機２毎の遊技データを前記履歴データファイルに基づいて再計算すると共に、前記日毎データファイル中の累積データを上記のように再計算した遊技データに変更するようになる。この結果、開店操作や閉店操作が適正なタイミングで行われなかった場合であっても、パチンコ遊技機２毎の遊技データを営業日毎に区分した日毎データを正確な状態に補正することが可能になる。
【００３２】
この場合、開閉店履歴データファイルには、実際に開店操作や閉店操作が行われた時刻がそれぞれ開店時刻及び閉店時刻として記憶されるから、その記憶内容に基づいて、開店操作や閉店操作が適正なタイミングで行われたか否かを後から容易に確かめることができると共に、上述のような日毎データの補正のための操作をきわめて簡単に行い得る。
【００３３】
尚、本発明は上記した実施例に限定されるものではなく、次のような変形または拡張が可能である。
管理対象の遊技機の例としてパチンコ遊技機を挙げたが、スロットマシンを管理対象とすることもできる。日毎データファイル（図６参照）中に、開店操作が行われた時刻及び閉店操作が行われた時刻が記憶されるから、開閉店履歴データファイル（図７参照）は必要に応じて設ければ良い。
【図面の簡単な説明】
【図１】本発明の一実施例を示す全体の概略的機能ブロック図
【図２】管理装置による制御内容の全体を示すフローチャート
【図３】制御内容の要部を示すフローチャート
【図４】累積データファイルのフォーマット例を示す図
【図５】履歴データファイルのフォーマット例を示す図
【図６】日毎データファイルのフォーマット例を示す図
【図７】開閉店履歴データファイルのフォーマット例を示す図
【図８】モニタによる画面表示例を示す図その１
【図９】モニタによる画面表示例を示す図その２
【符号の説明】
１は遊技場用データ管理装置、１ａはＣＰＵ（演算手段）、１ｆはデータ記憶部、２はパチンコ遊技機、３はキーボード、４はモニタ、５は外部記憶装置を示す。
【図１】
0003848105.tif 000002
【図２】
0003848105.tif 000003
【図３】
0003848105.tif 000004
【図４】
0003848105.tif 000005
【図５】
0003848105.tif 000006
【図６】
0003848105.tif 000007
【図７】
0003848105.tif 000008
【図８】
0003848105.tif 000009
【図９】
0003848105.tif 000010